(57)【特許請求の範囲】
【請求項１】
鞄の本体に装着される第１の金具と、鞄の蓋部に装着される第２の金具とからなる鞄の係止金具において、
前記第１の金具を前記鞄の本体に装着した際、当該第１の金具の前記第２の金具に対向する面には、前記第２の金具を吸着可能な永久磁石と開口部とが配設され、且つ上下方向に延在する係止片が突設され、
前記第２の金具の前記第１の金具に対向する面には、前記第１の金具の前記開口部に挿入可能な突起部と、前記第１の金具の前記係止片が挿入可能な溝部とが形成され、
前記第１の金具の前記係止片には、その上端部に前記溝部の上端部と係合可能な上側係合突起が形成され、その下端部に前記溝部の下端部と係合可能な下側係合突起が形成され、
前記第１の金具に前記第２の金具を装着した際、前記第１の金具上を前記第２の金具が前記係止片の長さ方向に移動可能となるように前記第１の金具の開口部および前記第２の金具の溝部が形成されていることを特徴とする鞄の係止金具。
【請求項２】
前記第１の金具に前記第２の金具を装着した際、前記第１の金具上を前記第２の金具が前記係止片の長さ方向に移動する距離は、前記溝部の下端部と係合している前記係止片の前記下側係合突起の当該係合状態が解除される距離であることを特徴とする請求項１に記載の鞄の係止金具。
【請求項３】
前記第１の金具の前記係止片は、当該第１の金具を前記鞄の本体に装着した際、当該第１の金具の左側と右側にそれぞれ設けられていることを特徴とする請求項１または請求項２に記載の鞄の係止金具。
【発明の詳細な説明】
【０００１】
【発明の属する技術分野】
本発明は、鞄の蓋部を鞄の本体に係止するために使用される鞄の係止金具に関するものである。
【０００２】
【従来の技術】
永久磁石の磁力を利用して、鞄の蓋部を本体に係止する所謂マグネットホックは、その着脱の容易さから女性用のハンドバッグの係止金具として広く用いられている。
【０００３】
【発明が解決しようとする課題】
しかしながら、このような従来の係止金具は、その係止状態を維持する力が永久磁石の磁力にのみ依存しているために、ハンドバッグの蓋部に強い衝撃力が加わった場合には、その係止状態が容易に解除されてしまい蓋部が開いてしまうという問題があった。
【０００４】
さらに、このような従来の係止金具は、その係止状態を維持する力が弱いために、使用時において強い力が加わらない女性用のハンドバッグのような鞄には使用することができても、重い荷物を収納することができ、使用時に強い力が係止金具に加わる形式の手提鞄等の係止金具としては使用することができなかった。
【０００５】
本発明の目的は、蓋部を本体に容易に着脱することができるとともに、外部から強い力が加わるような状態においても係止状態を維持することができる鞄の係止金具を提供することにある。
【０００６】
【課題を解決するための手段】
以上の目的を達成するために本発明は、鞄の本体に装着される第１の金具と、鞄の蓋部に装着される第２の金具とからなる鞄の係止金具において、前記第１の金具を前記鞄の本体に装着した際、当該第１の金具の前記第２の金具に対向する面には、前記第２の金具を吸着可能な永久磁石と開口部とが配設され、且つ上下方向に延在する係止片が突設され、前記第２の金具の前記第１の金具に対向する面には、前記第１の金具の前記開口部に挿入可能な突起部と、前記第１の金具の前記係止片が挿入可能な溝部とが形成され、前記第１の金具の前記係止片には、その上端部に前記溝部の上端部と係合可能な上側係合突起が形成され、その下端部に前記溝部の下端部と係合可能な下側係合突起が形成され、前記第１の金具に前記第２の金具を装着した際、前記第１の金具上を前記第２の金具が前記係止片の長さ方向に移動可能となるように前記第１の金具の開口部および前記第２の金具の溝部が形成されていることを特徴とするものである。
【０００７】
【発明の実施の形態】
以下、図面を参照して本発明の実施形態について説明する。
【０００８】
図１は、本発明の一実施形態に係る係止金具を装着した手提鞄の斜視図であり、図２はその係止金具部分の拡大図である。
【０００９】
図１に示したように、鞄の本体１には金具１０が装着されており、上部に手提部３が配設されている蓋部２の端部には金具２０が装着されている。
【００１０】
鞄の本体１に装着されている金具１０の金具２０対向する面には、図２に示したように、金具２０を吸着可能な永久磁石１１が配設されている。さらに、金具１０のこの面には、開口部１２が配設されているとともに、上下方向に延在する係止片１３，１４が左側と右側にそれぞれ１つづつ突設されている。
【００１１】
この係止片１３，１４の上部には、上方に突出している上側係合突起１３ａ，１４ａが形成されており、係止片１３，１４の下部には下方に突出している下側係合突起１３ｂ，１４ｂが形成されている。
【００１２】
図３（ａ）は金具２０の表面側から視た構成を示す斜視図であり、図３（ｂ）はその裏面側から視た構成を示す斜視図である。
【００１３】
金具２０の金具１０と対向する面、すなわち裏面には、図３（ｂ）に示したように、鞄の蓋部２の端部に金具２０を装着するためのネジと螺合するネジ穴２１が形成されている。さらに、この金具２０の裏面には、金具１０の開口部１２に挿入可能な突起部２２が形成されている。また、金具１０の係止片１３，１４がそれぞれ挿入可能となる溝部２３，２４が形成されている。溝部２３の端部には鍔部２３ａ，２３ｂが形成されており、溝部２４の端部には鍔部２４ａ，２４ｂが形成されている。
【００１４】
ここで、図４に示したように、金具２０を金具１０（図示せず）上に装着した場合、すなわち突起部２２を開口部１２に挿入し且つ係止片１３，１４を溝部２３，２４に挿入した場合、この金具２０が金具１０上で上下方向に移動できるように、本実施形態では、開口部１２と溝部２３，２４との上下方向の長さが選ばれている。さらに、金具２０が下方一杯に移動した状態で金具１０の係止片１３，１４の上側係合突起１３ａ，１４ａが金具２０の溝部２３，２４の上端部に係合するように鍔部２３ａ，２４ａは形成されており、金具２０が上方一杯に移動した状態で係止片１３，１４の下側係合突起１３ｂ，１４ｂが溝部２３，２４の下端部に係合するように鍔部２３ｂ，２４ｂは形成されている。この金具１０上で上下方向に金具２０が移動できる距離は、溝部２３，２４の下端部と係合状態となっている係止片１３，１４の下側係合突起１３ｂ，１４ｂのその係合状態が解除される距離以上の値となっている。
【００１５】
以上のように構成された本実施形態においては、図１に示したような状態で金具２０を金具１０に近づければ、金具１０に配設されている永久磁石の磁力により金具２０は図４に示したような所定位置（金具１０上）に簡単に係止される。
【００１６】
図４に示した状態では、鞄の蓋部２および金具２０に作用する重力によって、金具２０は下方一杯に移動した状態で金具１０上に装着されている。この状態の金具１０および金具２０の断面図を図５に示す。この状態では、金具１０の係止片１３の上側係合突起１３ａが、金具２０の溝部２３の上端部と係合状態となっているために、鞄に衝撃力が加わった場合でも金具２０は金具１０から完全に離れることはなく（図５に示す破線の状態）、衝撃力が無くなれば、永久磁石の磁力によって所定位置に復帰する。
【００１７】
また、図４に示した状態で使用者が手提部３を持った場合や本体１の内部に物品を一杯詰め込んだ場合等のように蓋部２が上方に引張られる場合には、図６に示すように、金具１０の係止片１３の下側係合突起１３ｂが、金具２０の溝部２３の下端部と係合状態となっているために、金具２０が金具１０から完全に離れることはない（図６の破線状態以上に離れることはない）。
【００１８】
そして金具１０と金具２０との図６に示したような係止状態を解除して蓋部２を開ける場合には、金具１０上に装着されている金具２０を若干下方に移動させ、下側係合突起１３ｂ，１４ｂの係合状態を解除した状態で、蓋部２の端部をめくり上げるように金具２０に力を加えれば（図７に示す矢印方向に力を加えれば）、係止片１３，１４の下側係合突起１３ｂ，１４ｂは溝部２３，２４の下端部と係合していないので図７に示すように金具１０と金具２０との係止状態を解除することができる。
【００１９】
【発明の効果】
以上説明したように本発明によれば、蓋部を本体に容易に着脱することができるとともに、外部から強い力が加わるような状態においても係止状態を維持することができる。
【図面の簡単な説明】
【図１】本発明の一実施形態に係る係止金具を装着した鞄の斜視図である。
【図２】図１の係止金具部分の拡大図である。
【図３】金具２０の構成を示す斜視図である。
【図４】図１に示した係止金具の動作の説明図である。
【図５】図１に示した係止金具の動作の説明図である。
【図６】図１に示した係止金具の動作の説明図である。
【図７】図１に示した係止金具の動作の説明図である。
【符号の説明】
１  鞄の本体
２  鞄の蓋部
３  手提部
１０，２０  金具
１１  永久磁石
１２  開口部
１３，１４  係止片
１３ａ，１４ａ  上側係合突起
１３ｂ，１４ｂ  下側係合突起
２１  ネジ穴
２２  突起部
２３，２４  溝部
２３ａ，２３ｂ，２４ａ，２４ｂ  鍔部
【図１】
0003997465.tif 000002
【図２】
0003997465.tif 000003
【図３】
0003997465.tif 000004
【図４】
0003997465.tif 000005
【図５】
0003997465.tif 000006
【図６】
0003997465.tif 000007
【図７】
0003997465.tif 000008